(57)【特許請求の範囲】
【請求項１】
交流電源の２つの電源線と、前記交流電源の２つの電源線に接続され照明負荷を点灯させる複数の点灯装置と、スイッチを介して前記交流電源に接続される１線と、前記交流電源の１つの電源線と前記１線との間に接続され前記スイッチのオンオフを検出して前記点灯装置の出力を制御する３線検出回路と、を備える３線方式の照明装置において、前記交流電源と前記点灯装置との接続を遮断する第１のヒューズを、前記交流電源の１つの電源線及び前記３線検出回路の接続点と前記点灯装置との間に設けたことを特徴とする照明装置。
【請求項２】
前記３線検出回路と、前記交流電源の１つの電源線及び前記３線検出回路の接続点と、の間に、さらに第２のヒューズを設けたことを特徴とする請求項１記載の照明装置。
【請求項３】
前記点灯装置は、少なくとも整流器と、前記整流器の後段に接続されるコンバータと、を備え、前記第１のヒューズを、前記交流電源の１つの電源線及び前記３線検出回路の接続点と前記点灯装置との間に設けることに代えて、前記整流器と前記コンバータとの間に設け、さらに、前記照明負荷の非常点灯点検を確認する為の点検スイッチを前記第１のヒューズと直列に設けたことを特徴とする請求項１記載の照明装置。
【請求項４】
前記照明負荷は放電灯であることを特徴とする請求項１から請求項３のいずれかに記載の照明装置。
【発明の詳細な説明】
【０００１】
【発明の属する利用分野】
本発明は照明装置に関するものであり、更に詳しくは、交流電源通電時及び遮断時共用のインバータ回路で照明負荷を点灯させる照明装置に関する。
【０００２】
【従来の技術】
本発明に係る第１従来例の回路図を図４に示す。
【０００３】
本回路は、交流電源Ｖａｃの２つの電源線と、例えば壁スイッチＳＷ１などのオンオフにより、交流電源Ｖａｃの通電時（以下、平常時と呼ぶ。）に照明負荷の点灯と不点灯とを切り換える為の１線とを接続する３線方式を有し、平常時及び交流電源Ｖａｃの遮断時（以下、非常時と呼ぶ。）を１つのインバータ回路で共用で照明負荷を高周波点灯させる照明装置であり、交流電源Ｖａｃと、交流電源Ｖａｃに直列接続された壁スイッチＳＷ１と、照明負荷の非常点灯の点検の為の点検スイッチＳＷ２と、壁スイッチＳＷ１と点検スイッチＳＷ２とを介して交流電源Ｖａｃの両端に並列接続され、照明負荷Ｌａを平常時点灯させる安定器７と、点検スイッチＳＷ２を介して交流電源Ｖａｃの両端に並列接続され、照明負荷Ｌａを非常時点灯させる非常点灯ブロック８とから構成される。なお、照明負荷Ｌａには放電灯Ｌａを用いている。
【０００４】
非常点灯ブロック８は、点検スイッチＳＷ２を介して交流電源電圧Ｖａｃを電力変換して直流電圧を出力するＡＣ／ＤＣコンバータ５と、ＡＣ／ＤＣコンバータ５の直流電圧出力を交流の高周波電圧に変換して放電灯Ｌａに供給するインバータ回路ＩＮＶと、非常時にインバータ回路ＩＮＶに直流電圧を供給する二次電池Ｖｏと、ＡＣ／ＤＣコンバータ５により二次電池Ｖｏを充電する為の充電回路部３と、ＡＣ／ＤＣコンバータ５の直流電圧出力及び二次電池Ｖｏの直流電圧出力を切り替えてインバータ回路ＩＮＶに接続する為の切替回路部６とから構成される。また、安定器７の出力とインバータ回路ＩＮＶの出力とを切り替えて放電灯Ｌａに接続する切替部４を設けている。更に、点検スイッチＳＷ２は、交流電源Ｖａｃから安定器７及び非常点灯ブロック８への交流電源電圧の供給を遮断できる位置に設けられている。
【０００５】
次に動作を簡単に説明する。
平常時は、壁スイッチＳＷ１をオンすると、交流電源Ｖａｃから壁スイッチＳＷ１と点検スイッチＳＷ２と安定器７と切替部４とを介して放電灯Ｌａを高周波点灯させると共に、交流電源Ｖａｃから点検スイッチＳＷ２とＡＣ／ＤＣコンバータ５と充電回路部３と切替回路部６とを介して二次電池Ｖｏを充電する。また、壁スイッチＳＷ１をオフすると、交流電源Ｖａｃから安定器７への交流電源電圧の供給が遮断されるので放電灯Ｌａは消灯すると共に、交流電源Ｖａｃから点検スイッチＳＷ２とＡＣ／ＤＣコンバータ５と充電回路部３と切替回路部６とを介して二次電池Ｖｏを充電する。非常時は、交流電源Ｖａｃが遮断されるので、安定器７への交流電源電圧の供給が遮断されるので、二次電池Ｖｏがインバータ回路ＩＮＶの電源となってインバータ回路ＩＮＶを発振動作させて放電灯Ｌａを高周波で非常点灯させる。
【０００６】
上述の様な構成を有する照明装置を多灯用とした場合、複数の安定器７と非常点灯ブロック８とが必要となるが、点検スイッチＳＷ２を介して互いの安定器７及び非常点灯ブロック８への電流の廻り込み現象を解決するものとして、特公昭５６−１６５１６号公報と、特公昭５６−４７６７８号公報とに示したものがある。
【０００７】
本発明に係る第２従来例の回路図を図５に示す。
本回路は、交流電源Ｖａｃの２つの電源線と、例えば壁スイッチＳＷ１などのオンオフにより平常時に照明負荷の点灯と不点灯とを切り換える為の１線とを接続する３線方式を有し、平常時及び非常時共用で複数の照明負荷を高周波点灯させる照明装置であり、交流電源Ｖａｃと、交流電源Ｖａｃに直列接続された壁スイッチＳＷ１と、交流電源Ｖａｃの両端に並列接続された複数の点灯装置Ａ１〜Ａｎ（ｎは正の整数）と、壁スイッチＳＷ１のオンオフを検出する３線検出回路１１〜１ｎとから構成され、各々の点灯装置Ａ１〜Ａｎの照明負荷には放電灯Ｌａ１〜Ｌａｎを用いている。なお、３線検出回路１１〜１ｎは、例えばフォトカプラを用いたものがある。また、図５には点灯装置Ａ１，Ａ２だけを図示している。
【０００８】
点灯装置Ａ１は、異常時に交流電源Ｖａｃからの電源電圧の供給を遮断することにより３線検出回路１１及び点灯装置Ａ１を保護するヒューズＦ１と、ヒューズＦ１を介して交流電源電圧Ｖａｃを整流する整流器ＤＢ１と、整流器ＤＢ１の出力電圧を電力変換して直流電圧を出力するＤＣ／ＤＣコンバータ２１と、ＤＣ／ＤＣコンバータ２１の直流電圧出力を交流の高周波電圧に変換して放電灯Ｌａ１に供給するインバータ回路ＩＮＶ１と、非常時にインバータ回路ＩＮＶ１に直流電圧を供給する二次電池Ｖ１と、ＤＣ／ＤＣコンバータ２１により二次電池Ｖ１を充電する為の充電回路３１と、ＤＣ／ＤＣコンバータ２１の直流電圧出力及び二次電池Ｖ１の直流電圧出力を切り替えてインバータ回路ＩＮＶ１に接続する為の切替回路４１と、３線検出回路１１からの検出信号を受けてインバータ回路ＩＮＶ１の発振動作を制御する制御部６１とから構成される。なお、点灯装置Ａ２〜Ａｎも点灯装置Ａ１と同様の構成であるので説明は省略する。
【０００９】
次に動作を簡単に説明する。
平常時は、壁スイッチＳＷ１をオンすると、３線検出回路１１で壁スイッチＳＷ１のオンを検知してインバータ回路ＩＮＶ１を発振動作させて放電灯Ｌａ１を点灯させると共に、交流電源Ｖａｃから整流器ＤＢ１とＤＣ／ＤＣコンバータ２１と充電回路３１とを介して二次電池Ｖ１を充電する。壁スイッチＳＷ１をオフすると、３線検出回路１１で壁スイッチＳＷ１のオフを検知してインバータ回路ＩＮＶ１を発振停止するなどして放電灯Ｌａ１を消灯させると共に、交流電源Ｖａｃから整流器ＤＢ１とＤＣ／ＤＣコンバータ２１と充電回路３１とを介して二次電池Ｖ１を充電する。非常時は、交流電源Ｖａｃが遮断されるので、交流電源Ｖａｃからインバータ回路ＩＮＶ１への電源電圧の供給が遮断され、二次電池Ｖ１がインバータ回路ＩＮＶの電源となってインバータ回路ＩＮＶ１を発振動作させて放電灯Ｌａを高周波で非常点灯させる。
【００１０】
【発明が解決しようとする課題】
しかし、上記従来例においては、ヒューズＦ１を３線検出回路１１の一端及び交流電源Ｖａｃの一端の接点よりも交流電源Ｖａｃ側に設けているので、平常時且つ壁スイッチＳＷ１のオフ時にヒューズＦ１が断線しても、図４に示す矢印の様に、交流電源Ｖａｃ→ヒューズＦ２→３線検出回路１２→３線検出回路１１→整流器ＤＢ１→交流電源Ｖａｃの経路により３線検出回路１１に電流が流れ、３線検出回路１１では壁スイッチＳＷ１がオンしている様な検知をしてしまい、ヒューズＦ１の断線により交流電源Ｖａｃからの電源電圧の供給が遮断されているにもかかわらず、上述の様に制御部６１を介してインバータ回路ＩＮＶ１を発振動作させて放電灯Ｌａ１を点灯させてしまう、という廻り込み現象の問題点が生じてしまう。
【００１１】
本発明は上記問題点に鑑みてなされたもので、その目的とするところは、３線式を有し、廻り込み現象による誤動作を防止可能な照明装置を提供することである。
【００１２】
【課題を解決するための手段】
上記問題点を解決するために、請求項１記載の発明によれば、交流電源の２つの電源線と、前記交流電源の２つの電源線に接続され照明負荷を点灯させる複数の点灯装置と、スイッチを介して前記交流電源に接続される１線と、前記交流電源の１つの電源線と前記１線との間に接続され前記スイッチのオンオフを検出して前記点灯装置の出力を制御する３線検出回路と、を備える３線方式の照明装置において、前記交流電源と前記点灯装置との接続を遮断する第１のヒューズを、前記交流電源の１つの電源線及び前記３線検出回路の接続点と前記点灯装置との間に設けたことを特徴とする。
【００１３】
請求項２記載の発明によれば、前記３線検出回路と、前記交流電源の１つの電源線及び前記３線検出回路の接続点と、の間に、さらに第２のヒューズを設けたことを特徴とする。
【００１４】
請求項３記載の発明によれば、前記点灯装置は、少なくとも整流器と、前記整流器の後段に接続されるコンバータと、を備え、前記第１のヒューズを、前記交流電源の１つの電源線及び前記３線検出回路の接続点と前記点灯装置との間に設けることに代えて、前記整流器と前記コンバータとの間に設け、さらに、前記照明負荷の非常点灯点検を確認する為の点検スイッチを前記第１のヒューズと直列に設けたことを特徴とする。
【００１７】
請求項４記載の発明によれば、照明負荷は放電灯であることを特徴とする。
【００１８】
【実施の形態】
（実施の形態１）
本発明に係る第１の実施の形態に係る回路図を図１に示す。
【００１９】
図５に示す従来例と異なる点は、ヒューズＦ１の代わりに、交流電源Ｖａｃ及び３線検出回路１１の入力端の接点ｂ点と整流器ＤＢ１の入力端との間に第１ヒューズ（以下、ヒューズと呼ぶ。）Ｆ１１を新たに設けて、異常時に交流電源Ｖａｃと点灯装置Ａ１とを遮断することにより、点灯装置Ａ１を保護する様に構成したことであり、その他の従来例と同一構成には同一符号を付すことにより説明を省略する。なお、点灯装置Ａ２〜Ａｎも点灯装置Ａ１と同様の構成を有しているので説明は省略する。
【００２０】
（実施の形態２）
本発明に係る第２の実施の形態の回路図を図２に示す。
【００２１】
図１に示した第１の実施の形態と異なる点は、ｂ点と３線検出回路１１の入力端との間に第２ヒューズＦ２１（以下、ヒューズと呼ぶ。）を新たに設けて、異常時に交流電源Ｖａｃと３線検出回路１１とを遮断することにより、３線検出回路１１を保護する様に構成したことであり、その他の第１の実施の形態と同一構成には同一符号を付すことにより説明を省略する。なお、点灯装置Ａ２〜Ａｎも点灯装置Ａ１と同様の構成を有しているので説明は省略する。
【００２２】
（実施の形態３）
本発明に係る第３の実施の形態の回路図を図３に示す。
【００２３】
図１に示した第１の実施の形態と異なる点は、整流器ＤＢ１の出力端とＤＣ／ＤＣコンバータ２１の入力端との間に、ヒューズＦ１１と放電灯Ｌａ１の非常点灯点検の為の点検スイッチＳＷ２１との直列回路を設けたことであり、その他の第１の実施の形態と同一構成には同一符号を付すことにより説明を省略する。なお、ヒューズＦ１１と点検スイッチＳＷ２１とを一体形成してもよく、一体形成することにより装置の更なる小型化が可能となる。また、点灯装置Ａ２〜Ａｎも点灯装置Ａ１と同様の構成を有しているので説明は省略する。
【００２４】
上記全ての実施の形態においては、ヒューズＦ１１〜Ｆ１ｎを、交流電源Ｖａｃ及び３線検出回路１１〜１ｎの入力端の接点ｂ点よりも負荷側に設けたので、ヒューズ断線時には確実に交流電源Ｖａｃからインバータ回路ＩＮＶ１〜ＩＮＶｎへの電圧供給を遮断でき、壁スイッチＳＷ１オフ時の点灯装置Ａ１〜Ａｎの誤動作を防止可能、つまり廻り込み現象による放電灯Ｌａ１〜Ｌａｎの誤点灯を防止できる。なお、ヒューズＦ１１〜Ｆ１ｎは、交流電源Ｖａｃ及び３線検出回路１１〜１ｎの入力端の接点ｂ点よりも負荷側に設けたので、ヒューズ断線時には確実に交流電源Ｖａｃからインバータ回路ＩＮＶ１〜ＩＮＶｎへの電圧供給を遮断できる構成であれば何でもよく、ＤＣ／ＤＣコンバータ２１〜２ｎは降圧コンバータでも昇圧コンバータでも何でもよく、インバータ回路ＩＮＶ１〜ＩＮＶｎはどの様な構成を用いてもよく、照明負荷としては放電灯を用いたが、他の種類の光源を用いてもよい。
【００２５】
【発明の効果】
請求項１記載の発明によれば、３線式を有し、廻り込み現象による誤動作を防止可能であると共に、異常時に交流電源と点灯装置とを遮断することにより点灯装置を保護することが可能な照明装置を提供できる。
【００２６】
請求項２記載の発明によれば、３線式を有し、廻り込み現象による誤動作を防止可能であると共に、異常時に交流電源と３線検出回路とを遮断することにより３線検出回路を保護することが可能な照明装置を提供できる。
【００２７】
請求項３に記載の発明によれば、３線式を有し、廻り込み現象による誤動作を防止可能であると共に、点検スイッチを操作することにより照明負荷の非常点灯を確認することが可能な照明装置を提供できる。
【００２９】
請求項４記載の発明によれば、３線式を有し、廻り込み現象による誤動作を防止可能な照明装置を提供できる。
【図面の簡単な説明】
【図１】本発明に係る第１の実施の形態の回路図を示す。
【図２】本発明に係る第２の実施の形態の回路図を示す。
【図３】本発明に係る第３の実施の形態の回路図を示す。
【図４】本発明に係る第１従来例の回路図を示す。
【図５】本発明に係る第２従来例の回路図を示す。
【符号の説明】
Ｆ      ヒューズ
ＩＮＶ  インバータ回路
Ｌａ    照明負荷
Ｖａｃ  交流電源
Ｖ１    二次電池
ＳＷ    スイッチ
１ｎ    ３線検出回路
【図１】
0003728796.tif 000002
【図２】
0003728796.tif 000003
【図３】
0003728796.tif 000004
【図４】
0003728796.tif 000005
【図５】
0003728796.tif 000006